(57)【特許請求の範囲】
【請求項１】
タッチパネルと、
表示装置と、
前記タッチパネルでのタッチ位置に基づく処理を行なうための処理手段とを備え、
前記処理手段は、
前記タッチパネルを用いた第１の操作を検出することで、前記第１の操作でのタッチ位置に基づいて処理対象のファイルを特定するための第１の特定手段と、
前記タッチパネルを用いた第２の操作を検出することで、前記第２の操作でのタッチ位置に基づいて実行する動作を特定するための第２の特定手段と、
前記処理対象のファイルと前記特定された動作との組み合わせが適正であるか否かを判断するための判断手段と、
前記表示装置に前記判断手段での判断結果を表示するための表示手段と、
前記処理対象のファイルに対して前記特定された動作を実行するための実行手段とを含み、
前記第１の特定手段および前記第２の特定手段のうちの一方の特定手段が、先に前記第１の操作または前記第２の操作を検出して前記ファイルまたは前記動作を特定した場合、次に他方の操作が検出されると、前記ファイルまたは前記動作の特定が完了するよりも以前に、前記第１の特定手段および前記第２の特定手段のうちの他方の特定手段による特定と、前記判断手段による判断と、前記表示手段による表示とを繰り返し行なう、画像処理装置。
【請求項２】
前記第１の特定手段および前記第２の特定手段は、前記第１の操作または前記第２の操作の完了時の前記タッチ位置に基づいて前記ファイルまたは前記動作を確定し、
前記実行手段は、前記判断手段において、前記確定された前記処理対象のファイルと前記特定された動作との組み合わせが適正でないと判断された場合には前記処理対象のファイルに対して前記特定された動作を実行せず、前記確定された前記組み合わせが適正であると判断された場合に前記処理対象のファイルに対して前記特定された動作を実行する、請求項１に記載の画像処理装置。
【請求項３】
前記判断手段は、当該画像処理装置で実行可能な動作ごとに当該動作の対象に関する情報を予め記憶している、請求項１または２に記載の画像処理装置。
【請求項４】
タッチパネルと、
表示装置と、
前記タッチパネルでのタッチ位置に基づく処理を行なうための処理手段とを備え、
前記処理手段は、
前記タッチパネルを用いた第１の操作を検出することで、前記第１の操作でのタッチ位置に基づいて処理対象のファイルを特定するための第１の特定手段と、
前記タッチパネルを用いた第２の操作を検出することで、前記第２の操作でのタッチ位置に基づいて実行する動作を特定するための第２の特定手段と、
前記処理対象のファイルと前記特定された動作との組み合わせが適正であるか否かを判断するための判断手段と、
前記表示装置に前記判断手段での判断結果を表示するための表示手段と、
前記処理対象のファイルに対して前記特定された動作を実行するための実行手段とを含み、
前記第１の特定手段が前記第２の特定手段よりも先に前記第１の操作を検出して前記ファイルを特定した場合、前記第２の特定手段は、前記第２の操作の開始が検出されると少なくとも前記第２の操作の開始時のタッチ位置に基づいて前記動作を特定し、前記第２の操作の完了が検出されると少なくとも前記第２の操作の開始時のタッチ位置と前記完了時のタッチ位置とに基づいて前記動作を特定し、
前記判断手段は、前記第１の特定手段で特定された前記処理対象のファイルに対して、少なくとも前記第２の操作の開始時のタッチ位置に基づいて前記第２の特定手段で特定された前記動作、および少なくとも前記第２の操作の開始時のタッチ位置と前記完了時のタッチ位置とに基づいて前記第２の特定手段で特定された前記動作が、適正であるか否かを、それぞれの前記特定された動作について判断し、
前記第２の操作が検出されると、前記動作の特定が完了するよりも以前に前記判断の結果が前記表示装置に表示される、画像処理装置。
【請求項５】
タッチパネルと、
表示装置と、
前記タッチパネルでのタッチ位置に基づく処理を行なうための処理手段とを備え、
前記処理手段は、
前記タッチパネルを用いた第１の操作を検出することで、前記第１の操作でのタッチ位置に基づいて処理対象のファイルを特定するための第１の特定手段と、
前記タッチパネルを用いた第２の操作を検出することで、前記第２の操作でのタッチ位置に基づいて実行する動作を特定するための第２の特定手段と、
前記処理対象のファイルと前記特定された動作との組み合わせが適正であるか否かを判断するための判断手段と、
前記表示装置に前記判断手段での判断結果を表示するための表示手段と、
前記処理対象のファイルに対して前記特定された動作を実行するための実行手段とを含み、
前記第２の特定手段が前記第１の特定手段よりも先に前記第２の操作を検出して前記動作を特定した場合、前記第１の特定手段は、前記第１の操作の開始が検出されると少なくとも前記第１の操作の開始時のタッチ位置に基づいて前記処理対象のファイルを特定し、前記第１の操作の完了が検出されると少なくとも前記第１の操作の開始時のタッチ位置と前記完了時のタッチ位置とに基づいて前記処理対象のファイルを特定し、
前記判断手段は、前記第２の特定手段で特定された前記動作が、少なくとも前記第１の操作の開始時のタッチ位置に基づいて前記第１の特定手段で特定された前記処理対象のファイル、および少なくとも前記第１の操作の開始時のタッチ位置と前記完了時のタッチ位置とに基づいて前記第１の特定手段で特定された前記処理対象のファイルに対して適正であるか否かを、それぞれの前記特定された処理対象のファイルについて判断し、
前記第１の操作が検出されると、前記ファイルの特定が完了するよりも以前に前記判断の結果が前記表示装置に表示される、画像処理装置。
【請求項６】
他の装置と通信するための通信手段をさらに備え、
前記第１の特定手段または前記第２の特定手段に替えて、前記他の装置において当該他の装置のタッチパネルを用いた操作によって特定された処理対象のファイルまたは動作を特定する情報を取得するための取得手段をさらに備える、請求項１〜５のいずれかに記載の画像処理装置。
【請求項７】
前記第１の操作は、前記タッチパネル上で２点がタッチされた後に連続して前記２点のタッチ位置がその間隔が短くなる方向に移動し、その後、前記移動後の前記２点のタッチを解除する操作であり、前記第２の操作は前記タッチパネル上で２点がタッチされた後に連続して前記２点のタッチ位置がその間隔が長くなる方向に移動し、その後、前記移動後の前記２点のタッチを解除する操作である、請求項１〜６のいずれかに記載の画像処理装置。
【請求項８】
タッチパネルを有する画像処理装置にファイルに対する動作を実行させるための、前記画像処理装置の制御方法であって、
前記タッチパネルを用いた第１の操作を検出することで、前記第１の操作でのタッチ位置に基づいて処理対象のファイルを特定するステップと、
前記タッチパネルを用いた第２の操作を検出することで、前記第２の操作でのタッチ位置に基づいて実行する動作を特定するステップと、
前記処理対象のファイルと前記特定された動作との組み合わせが適正であるか否かを判断するステップと、
表示装置に前記判断結果を表示するステップと、
前記処理対象のファイルと前記特定された動作との組み合わせが適正であると判断された場合に、前記処理対象のファイルに対して前記特定された動作を実行するステップとを備え、
前記ファイルを特定するステップおよび前記動作を特定するステップのうちの一方のステップが、先に前記第１の操作または前記第２の操作を検出して前記ファイルまたは前記動作を特定した場合、次に他方の操作が検出されると、前記ファイルまたは前記動作の特定が完了するよりも以前に、前記ファイルを特定するステップおよび前記動作を特定するステップのうちの他方のステップと、前記判断するステップと、前記表示するステップとを繰り返す、制御方法。
【請求項９】
タッチパネルを有する画像処理装置にファイルに対する動作を実行させるための、前記画像処理装置の制御方法であって、
前記タッチパネルを用いた第１の操作を検出することで、前記第１の操作でのタッチ位置に基づいて処理対象のファイルを特定するステップと、
前記タッチパネルを用いた第２の操作を検出することで、前記第２の操作でのタッチ位置に基づいて実行する動作を特定するステップと、
前記処理対象のファイルと前記特定された動作との組み合わせが適正であるか否かを判断するステップと、
表示装置に前記判断結果を表示するステップと、
前記処理対象のファイルと前記特定された動作との組み合わせが適正であると判断された場合に、前記処理対象のファイルに対して前記特定された動作を実行するステップとを備え、
前記ファイルを特定するステップで前記動作を特定するステップよりも先に前記ファイルを特定した場合、前記動作を特定するステップでは、前記第２の操作の開始が検出されると少なくとも前記第２の操作の開始時のタッチ位置に基づいて前記動作を特定し、前記第２の操作の完了が検出されると少なくとも前記第２の操作の開始時のタッチ位置と前記完了時のタッチ位置とに基づいて前記動作を特定し、
前記判断するステップでは、前記ファイルを特定するステップで特定された前記処理対象のファイルに対して、少なくとも前記第２の操作の開始時のタッチ位置に基づいて前記動作を特定するステップで特定された前記動作、および少なくとも前記第２の操作の開始時のタッチ位置と前記完了時のタッチ位置とに基づいて前記動作を特定するステップで特定された前記動作が、適正であるか否かを、それぞれの前記特定された動作について判断し、
前記第２の操作が検出されると、前記動作の特定が完了するよりも以前に前記判断の結果を前記表示装置に表示する、制御方法。
【請求項１０】
タッチパネルを有する画像処理装置にファイルに対する動作を実行させるための、前記画像処理装置の制御方法であって、
前記タッチパネルを用いた第１の操作を検出することで、前記第１の操作でのタッチ位置に基づいて処理対象のファイルを特定するステップと、
前記タッチパネルを用いた第２の操作を検出することで、前記第２の操作でのタッチ位置に基づいて実行する動作を特定するステップと、
前記処理対象のファイルと前記特定された動作との組み合わせが適正であるか否かを判断するステップと、
表示装置に前記判断結果を表示するステップと、
前記処理対象のファイルと前記特定された動作との組み合わせが適正であると判断された場合に、前記処理対象のファイルに対して前記特定された動作を実行するステップとを備え、
前記動作を特定するステップで前記ファイルを特定するステップよりも先に前記第２の操作を検出して前記動作を特定した場合、前記ファイルを特定するステップでは、前記第１の操作の開始が検出されると少なくとも前記第１の操作の開始時のタッチ位置に基づいて前記処理対象のファイルを特定し、前記第１の操作の完了が検出されると少なくとも前記第１の操作の開始時のタッチ位置と前記完了時のタッチ位置とに基づいて前記処理対象のファイルを特定し、
前記判断するステップでは、前記動作を特定するステップで特定された前記動作が、少なくとも前記第１の操作の開始時のタッチ位置に基づいて前記ファイルを特定するステップで特定された前記処理対象のファイル、および少なくとも前記第１の操作の開始時のタッチ位置と前記完了時のタッチ位置とに基づいて前記ファイルを特定するステップで特定された前記処理対象のファイルに対して適正であるか否かを、それぞれの前記特定された処理対象のファイルについて判断し、
前記第１の操作が検出されると、前記ファイルの特定が完了するよりも以前に前記判断の結果を前記表示装置に表示する、制御方法。
【請求項１１】
タッチパネルを有する画像処理装置にファイルに対する動作を実行させるためのプログラムであって、
前記タッチパネルを用いた第１の操作を検出することで、前記第１の操作でのタッチ位置に基づいて処理対象のファイルを特定するステップと、
前記タッチパネルを用いた第２の操作を検出することで、前記第２の操作でのタッチ位置に基づいて実行する動作を特定するステップと、
前記処理対象のファイルと前記特定された動作との組み合わせが適正であるか否かを判断するステップと、
表示装置に前記判断結果を表示するステップと、
前記処理対象のファイルと前記特定された動作との組み合わせが適正であると判断された場合に、前記処理対象のファイルに対して前記特定された動作を実行するステップとを前記画像処理装置に実行させ、
前記ファイルを特定するステップおよび前記動作を特定するステップのうちのいずれかのステップが、先に前記第１の操作または前記第２の操作を検出して前記ファイルまたは
前記動作を特定した場合、次に他方の操作が検出されると、前記ファイルまたは前記動作の特定が完了するよりも以前に、前記ファイルを特定するステップおよび前記動作を特定するステップのうちの他方のステップと、前記判断するステップと、前記表示するステップとを繰り返す、制御プログラム。
【請求項１２】
タッチパネルを有する画像処理装置にファイルに対する動作を実行させるためのプログラムであって、
前記タッチパネルを用いた第１の操作を検出することで、前記第１の操作でのタッチ位置に基づいて処理対象のファイルを特定するステップと、
前記タッチパネルを用いた第２の操作を検出することで、前記第２の操作でのタッチ位置に基づいて実行する動作を特定するステップと、
前記処理対象のファイルと前記特定された動作との組み合わせが適正であるか否かを判断するステップと、
表示装置に前記判断結果を表示するステップと、
前記処理対象のファイルと前記特定された動作との組み合わせが適正であると判断された場合に、前記処理対象のファイルに対して前記特定された動作を実行するステップとを前記画像処理装置に実行させ、
前記ファイルを特定するステップで前記動作を特定するステップよりも先に前記ファイルを特定した場合、前記動作を特定するステップでは、前記第２の操作の開始が検出されると少なくとも前記第２の操作の開始時のタッチ位置に基づいて前記動作を特定し、前記第２の操作の完了が検出されると少なくとも前記第２の操作の開始時のタッチ位置と前記完了時のタッチ位置とに基づいて前記動作を特定し、
前記判断するステップでは、前記ファイルを特定するステップで特定された前記処理対象のファイルに対して、少なくとも前記第２の操作の開始時のタッチ位置に基づいて前記動作を特定するステップで特定された前記動作、および少なくとも前記第２の操作の開始時のタッチ位置と前記完了時のタッチ位置とに基づいて前記動作を特定するステップで特定された前記動作が、適正であるか否かを、それぞれの前記特定された動作について判断し、
前記第２の操作が検出されると、前記動作の特定が完了するよりも以前に前記判断の結果を前記表示装置に表示する、制御プログラム。
【請求項１３】
タッチパネルを有する画像処理装置にファイルに対する動作を実行させるためのプログラムであって、
前記タッチパネルを用いた第１の操作を検出することで、前記第１の操作でのタッチ位置に基づいて処理対象のファイルを特定するステップと、
前記タッチパネルを用いた第２の操作を検出することで、前記第２の操作でのタッチ位置に基づいて実行する動作を特定するステップと、
前記処理対象のファイルと前記特定された動作との組み合わせが適正であるか否かを判断するステップと、
表示装置に前記判断結果を表示するステップと、
前記処理対象のファイルと前記特定された動作との組み合わせが適正であると判断された場合に、前記処理対象のファイルに対して前記特定された動作を実行するステップとを前記画像処理装置に実行させ、
前記動作を特定するステップで前記ファイルを特定するステップよりも先に前記第２の操作を検出して前記動作を特定した場合、前記ファイルを特定するステップでは、前記第１の操作の開始が検出されると少なくとも前記第１の操作の開始時のタッチ位置に基づいて前記処理対象のファイルを特定し、前記第１の操作の完了が検出されると少なくとも前記第１の操作の開始時のタッチ位置と前記完了時のタッチ位置とに基づいて前記処理対象のファイルを特定し、
前記判断するステップでは、前記動作を特定するステップで特定された前記動作が、少なくとも前記第１の操作の開始時のタッチ位置に基づいて前記ファイルを特定するステップで特定された前記処理対象のファイル、および少なくとも前記第１の操作の開始時のタッチ位置と前記完了時のタッチ位置とに基づいて前記ファイルを特定するステップで特定された前記処理対象のファイルに対して適正であるか否かを、それぞれの前記特定された処理対象のファイルについて判断し、
前記第１の操作が検出されると、前記ファイルの特定が完了するよりも以前に前記判断の結果を前記表示装置に表示する、制御プログラム。
【発明の詳細な説明】
【技術分野】
【０００１】
この発明は、画像処理装置、制御方法、および制御理プログラムに関し、特に、タッチパネルを有する画像処理装置、該画像処理装置の制御方法、および該画像処理装置を制御するための制御プログラムに関する。
【背景技術】
【０００２】
携帯電話機や音楽再生機などの分野において、タッチパネルを有する機器が増えている。操作入力装置としてタッチパネルを利用することで、ユーザーは直感的な動作で機器に対する操作入力を行なうことが可能になるという利点がある。
【０００３】
その一方で、タッチパネルに表示されたボタンなどの領域を指等でタッチして操作入力を行なうことから、誤操作の可能性もある。特に、携帯電話機などの小型の機器においてはタッチパネルの面積も制限されることから選択肢となる領域が小さかったり隣接する選択肢となる領域との隙間が小さかったりし、誤操作の可能性は高まる。
【０００４】
この問題に対し、たとえば特開２００５−４４０２６号公報（以下、特許文献１）は複数の領域にまたがるタッチ操作を検知すると、その近傍のアイコン画像を拡大表示して、再度、拡大表示されたアイコン画像での操作を受け付ける技術を開示している。
【先行技術文献】
【特許文献】
【０００５】
【特許文献１】特開２００５−４４０２６号公報
【発明の概要】
【発明が解決しようとする課題】
【０００６】
しかしながら、上記特許文献１に開示された方法では、複数領域にまたがるタッチ操作が検知されるたびに拡大画像が表示されて再操作が必要となることから操作が煩雑になり、直感的な動作で操作入力を行なうことができないという問題がある。
【０００７】
本発明はこのような問題に鑑みてなされたものであって、誤操作を抑えつつ、直感的な操作でファイルに対する動作を実行させることを可能とする画像処理装置、制御方法、および制御プログラムを提供することを目的としている。
【課題を解決するための手段】
【０００８】
上記目的を達成するために、本発明のある局面に従うと、画像処理装置は、タッチパネルと、表示装置と、タッチパネルでのタッチ位置に基づく処理を行なうための処理手段とを備える。処理手段は、タッチパネルを用いた第１の操作を検出することで、第１の操作でのタッチ位置に基づいて処理対象のファイルを特定するための第１の特定手段と、タッチパネルを用いた第２の操作を検出することで、第２の操作でのタッチ位置に基づいて実行する動作を特定するための第２の特定手段と、処理対象のファイルと特定された動作との組み合わせが適正であるか否かを判断するための判断手段と、表示装置に判断手段での判断結果を表示するための表示手段と、処理対象のファイルに対して特定された動作を実行するための実行手段とを含む。第１の特定手段および第２の特定手段のうちの一方の特定手段が、先に第１の操作または第２の操作を検出してファイルまたは動作を特定した場合、次に他方の操作が検出されると、第１の特定手段および第２の特定手段のうちの他方の特定手段による特定と、判断手段による判断と、表示手段による表示とを繰り返し行なう。
【０００９】
好ましくは、第１の特定手段および第２の特定手段は、第１の操作または第２の操作の完了時のタッチ位置に基づいてファイルまたは動作を確定し、実行手段は、判断手段において、確定された処理対象のファイルと特定された動作との組み合わせが適正でないと判断された場合には処理対象のファイルに対して特定された動作を実行せず、確定された組み合わせが適正であると判断された場合に処理対象のファイルに対して特定された動作を実行する。
【００１０】
好ましくは、判断手段は、当該画像処理装置で実行可能な動作ごとに当該動作の対象に関する情報を予め記憶している。
【００１１】
本発明の他の局面に従うと、画像処理装置は、タッチパネルと、表示装置と、タッチパネルでのタッチ位置に基づく処理を行なうための処理手段とを備える。処理手段は、タッチパネルを用いた第１の操作を検出することで、第１の操作でのタッチ位置に基づいて処理対象のファイルを特定するための第１の特定手段と、タッチパネルを用いた第２の操作を検出することで、第２の操作でのタッチ位置に基づいて実行する動作を特定するための第２の特定手段と、処理対象のファイルと特定された動作との組み合わせが適正であるか否かを判断するための判断手段と、表示装置に判断手段での判断結果を表示するための表示手段と、処理対象のファイルに対して特定された動作を実行するための実行手段とを含む。第１の特定手段が第２の特定手段よりも先に第１の操作を検出してファイルを特定した場合、第２の特定手段は、第２の操作の開始が検出されると少なくとも第２の操作の開始時のタッチ位置に基づいて動作を特定し、第２の操作の完了が検出されると少なくとも第２の操作の開始時のタッチ位置と完了時のタッチ位置とに基づいて動作を特定し、判断手段は、第１の特定手段で特定された処理対象のファイルに対して、少なくとも第２の操作の開始時のタッチ位置に基づいて第２の特定手段で特定された動作、および少なくとも第２の操作の開始時のタッチ位置と完了時のタッチ位置とに基づいて第２の特定手段で特定された動作が、適正であるか否かを、それぞれの特定された動作について判断し、第２の操作が検出されると、動作の特定が完了するよりも以前に判断の結果が表示装置に表示される。
【００１２】
本発明のさらに他の局面に従うと、画像処理装置は、タッチパネルと、表示装置と、タッチパネルでのタッチ位置に基づく処理を行なうための処理手段とを備える。処理手段は、タッチパネルを用いた第１の操作を検出することで、第１の操作でのタッチ位置に基づいて処理対象のファイルを特定するための第１の特定手段と、タッチパネルを用いた第２の操作を検出することで、第２の操作でのタッチ位置に基づいて実行する動作を特定するための第２の特定手段と、処理対象のファイルと特定された動作との組み合わせが適正であるか否かを判断するための判断手段と、表示装置に判断手段での判断結果を表示するための表示手段と、処理対象のファイルに対して特定された動作を実行するための実行手段とを含む。第２の特定手段が第１の特定手段よりも先に第２の操作を検出して動作を特定した場合、第１の特定手段は、第１の操作の開始が検出されると少なくとも第１の操作の開始時のタッチ位置に基づいて処理対象のファイルを特定し、第１の操作の完了が検出されると少なくとも第１の操作の開始時のタッチ位置と完了時のタッチ位置とに基づいて処理対象のファイルを特定し、判断手段は、第２の特定手段で特定された動作が、少なくとも第１の操作の開始時のタッチ位置に基づいて第１の特定手段で特定された処理対象のファイル、および少なくとも第１の操作の開始時のタッチ位置と完了時のタッチ位置とに基づいて第１の特定手段で特定された処理対象のファイルに対して適正であるか否かを、それぞれの特定された処理対象のファイルについて判断し、第１の操作が検出されると、ファイルの特定が完了するよりも以前に判断の結果が表示装置に表示される。
【００１３】
好ましくは、画像処理装置は他の装置と通信するための通信手段をさらに備え、第１の特定手段または第２の特定手段に替えて、他の装置において当該他の装置のタッチパネルを用いた操作によって特定された処理対象のファイルまたは動作を特定する情報を取得するための取得手段をさらに備える。
【００１４】
好ましくは、第１の操作は、タッチパネル上で２点がタッチされた後に連続して２点のタッチ位置がその間隔が短くなる方向に移動し、その後、移動後の２点のタッチを解除する操作であり、第２の操作はタッチパネル上で２点がタッチされた後に連続して２点のタッチ位置がその間隔が長くなる方向に移動し、その後、移動後の２点のタッチを解除する操作である。
【００１５】
本発明のさらに他の局面に従うと、制御方法はタッチパネルを有する画像処理装置にファイルに対する動作を実行させるための画像処理装置の制御方法であって、タッチパネルを用いた第１の操作を検出することで、第１の操作でのタッチ位置に基づいて処理対象のファイルを特定するステップと、タッチパネルを用いた第２の操作を検出することで、第２の操作でのタッチ位置に基づいて実行する動作を特定するステップと、処理対象のファイルと特定された動作との組み合わせが適正であるか否かを判断するステップと、表示装置に判断結果を表示するステップと、処理対象のファイルと特定された動作との組み合わせが適正であると判断された場合に、処理対象のファイルに対して特定された動作を実行するステップとを備える。ファイルを特定するステップおよび動作を特定するステップのうちのいずれかのステップが、先に第１の操作または第２の操作を検出してファイルまたは動作を特定した場合、次に他方の操作が検出されると、ファイルまたは動作の特定が完了するよりも以前に、ファイルを特定するステップおよび動作を特定するステップのうちの他方のステップと、判断するステップと、表示するステップとを繰り返す。
本発明のさらに他の局面に従うと、制御方法はタッチパネルを有する画像処理装置にファイルに対する動作を実行させるための画像処理装置の制御方法であって、タッチパネルを用いた第１の操作を検出することで、第１の操作でのタッチ位置に基づいて処理対象のファイルを特定するステップと、タッチパネルを用いた第２の操作を検出することで、第２の操作でのタッチ位置に基づいて実行する動作を特定するステップと、処理対象のファイルと特定された動作との組み合わせが適正であるか否かを判断するステップと、表示装置に判断結果を表示するステップと、処理対象のファイルと特定された動作との組み合わせが適正であると判断された場合に、処理対象のファイルに対して特定された動作を実行するステップとを備える。ファイルを特定するステップで動作を特定するステップよりも先にファイルを特定した場合、動作を特定するステップでは、第２の操作の開始が検出されると少なくとも第２の操作の開始時のタッチ位置に基づいて動作を特定し、第２の操作の完了が検出されると少なくとも第２の操作の開始時のタッチ位置と完了時のタッチ位置とに基づいて動作を特定し、判断するステップでは、ファイルを特定するステップで特定された処理対象のファイルに対して、少なくとも第２の操作の開始時のタッチ位置に基づいて動作を特定するステップで特定された動作、および少なくとも第２の操作の開始時のタッチ位置と完了時のタッチ位置とに基づいて動作を特定するステップで特定された動作が、適正であるか否かを、それぞれの特定された動作について判断し、第２の操作が検出されると、動作の特定が完了するよりも以前に判断の結果を表示装置に表示する。
本発明のさらに他の局面に従うと、制御方法はタッチパネルを有する画像処理装置にファイルに対する動作を実行させるための画像処理装置の制御方法であって、タッチパネルを用いた第１の操作を検出することで、第１の操作でのタッチ位置に基づいて処理対象のファイルを特定するステップと、タッチパネルを用いた第２の操作を検出することで、第２の操作でのタッチ位置に基づいて実行する動作を特定するステップと、処理対象のファイルと特定された動作との組み合わせが適正であるか否かを判断するステップと、表示装置に判断結果を表示するステップと、処理対象のファイルと特定された動作との組み合わせが適正であると判断された場合に、処理対象のファイルに対して特定された動作を実行するステップとを備える。動作を特定するステップでファイルを特定するステップよりも先に第２の操作を検出して動作を特定した場合、ファイルを特定するステップでは、第１の操作の開始が検出されると少なくとも第１の操作の開始時のタッチ位置に基づいて処理対象のファイルを特定し、第１の操作の完了が検出されると少なくとも第１の操作の開始時のタッチ位置と完了時のタッチ位置とに基づいて処理対象のファイルを特定し、判断するステップでは、動作を特定するステップで特定された動作が、少なくとも第１の操作の開始時のタッチ位置に基づいてファイルを特定するステップで特定された処理対象のファイル、および少なくとも第１の操作の開始時のタッチ位置と完了時のタッチ位置とに基づいてファイルを特定するステップで特定された処理対象のファイルに対して適正であるか否かを、それぞれの特定された処理対象のファイルについて判断し、第１の操作が検出されると、ファイルの特定が完了するよりも以前に判断の結果を表示装置に表示する。
【００１６】
本発明のさらに他の局面に従うと、制御プログラムはタッチパネルを有する画像処理装置にファイルに対する動作を実行させるためのプログラムであって、タッチパネルを用いた第１の操作を検出することで、第１の操作でのタッチ位置に基づいて処理対象のファイルを特定するステップと、タッチパネルを用いた第２の操作を検出することで、第２の操作でのタッチ位置に基づいて実行する動作を特定するステップと、処理対象のファイルと特定された動作との組み合わせが適正であるか否かを判断するステップと、表示装置に判断結果を表示するステップと、処理対象のファイルと特定された動作との組み合わせが適正であると判断された場合に、処理対象のファイルに対して特定された動作を実行するステップとを画像処理装置に実行させる。ファイルを特定するステップおよび動作を特定するステップのうちのいずれかのステップが、先に第１の操作または第２の操作を検出してファイルまたは動作を特定した場合、次に他方の操作が検出されると、ファイルまたは動作の特定が完了するよりも以前に、ファイルを特定するステップおよび動作を特定するステップのうちの他方のステップと、判断するステップと、表示するステップとを繰り返す。
本発明のさらに他の局面に従うと、制御プログラムはタッチパネルを有する画像処理装置にファイルに対する動作を実行させるためのプログラムであって、タッチパネルを用いた第１の操作を検出することで、第１の操作でのタッチ位置に基づいて処理対象のファイルを特定するステップと、タッチパネルを用いた第２の操作を検出することで、第２の操作でのタッチ位置に基づいて実行する動作を特定するステップと、処理対象のファイルと特定された動作との組み合わせが適正であるか否かを判断するステップと、表示装置に判断結果を表示するステップと、処理対象のファイルと特定された動作との組み合わせが適正であると判断された場合に、処理対象のファイルに対して特定された動作を実行するステップとを画像処理装置に実行させる。ファイルを特定するステップで動作を特定するステップよりも先にファイルを特定した場合、動作を特定するステップでは、第２の操作の開始が検出されると少なくとも第２の操作の開始時のタッチ位置に基づいて動作を特定し、第２の操作の完了が検出されると少なくとも第２の操作の開始時のタッチ位置と完了時のタッチ位置とに基づいて動作を特定し、判断するステップでは、ファイルを特定するステップで特定された処理対象のファイルに対して、少なくとも第２の操作の開始時のタッチ位置に基づいて動作を特定するステップで特定された動作、および少なくとも第２の操作の開始時のタッチ位置と完了時のタッチ位置とに基づいて動作を特定するステップで特定された動作が、適正であるか否かを、それぞれの特定された動作について判断し、第２の操作が検出されると、動作の特定が完了するよりも以前に判断の結果を表示装置に表示する。
本発明のさらに他の局面に従うと、制御プログラムはタッチパネルを有する画像処理装置にファイルに対する動作を実行させるためのプログラムであって、タッチパネルを用いた第１の操作を検出することで、第１の操作でのタッチ位置に基づいて処理対象のファイルを特定するステップと、タッチパネルを用いた第２の操作を検出することで、第２の操作でのタッチ位置に基づいて実行する動作を特定するステップと、処理対象のファイルと特定された動作との組み合わせが適正であるか否かを判断するステップと、表示装置に判断結果を表示するステップと、処理対象のファイルと特定された動作との組み合わせが適正であると判断された場合に、処理対象のファイルに対して特定された動作を実行するステップとを画像処理装置に実行させる。動作を特定するステップでファイルを特定するステップよりも先に第２の操作を検出して動作を特定した場合、ファイルを特定するステップでは、第１の操作の開始が検出されると少なくとも第１の操作の開始時のタッチ位置に基づいて処理対象のファイルを特定し、第１の操作の完了が検出されると少なくとも第１の操作の開始時のタッチ位置と完了時のタッチ位置とに基づいて処理対象のファイルを特定し、判断するステップでは、動作を特定するステップで特定された動作が、少なくとも第１の操作の開始時のタッチ位置に基づいてファイルを特定するステップで特定された処理対象のファイル、および少なくとも第１の操作の開始時のタッチ位置と完了時のタッチ位置とに基づいてファイルを特定するステップで特定された処理対象のファイルに対して適正であるか否かを、それぞれの特定された処理対象のファイルについて判断し、第１の操作が検出されると、ファイルの特定が完了するよりも以前に判断の結果を表示装置に表示する。
【発明の効果】
【００１７】
この発明によると、誤操作を抑えつつ、直感的な操作でファイルに対する動作を実行させることが可能となる。
【図面の簡単な説明】
【００１８】
【図１】実施の形態にかかる画像処理システムの構成の具体例を示す図である。
【図２】画像処理システムに含まれるＭＦＰのハードウェア構成の具体例を示す図である。
【図３】画像処理システムに含まれる携帯端末のハードウェア構成の具体例を示す図である。
【図４】画像処理システムに含まれるサーバーのハードウェア構成の具体例を示す図である。
【図５】ＭＦＰの操作パネルに表示される機能一覧画面の具体例を示す図である。
【図６】「つまむ」操作を説明するための図である。
【図７】「離す」操作を説明するための図である。
【図８】ＭＦＰの操作パネルでの表示画面の具体例を示す図である。
【図９】ＭＦＰの操作パネルでの表示画面の具体例を示す図である。
【図１０】第１の実施の形態にかかるＭＦＰの機能構成の具体例を示すブロック図である。
【図１１】つまむ操作によって指定されるアイコンを特定する方法の具体例を説明するための図である。
【図１２】つまむ操作によって指定されるアイコンを特定する方法の具体例を説明するための図である。
【図１３】つまむ操作によって指定されるアイコンを特定する方法の具体例を説明するための図である。
【図１４】つまむ操作によって指定されるアイコンを特定する方法の具体例を説明するための図である。
【図１５】つまむ操作によって指定されるアイコンを特定する方法の具体例を説明するための図である。
【図１６】ＭＦＰでの動作の具体例を示すフローチャートである。
【図１７】変形例にかかるＭＦＰの操作パネルでの表示画面の具体例を示す図である。
【図１８】変形例にかかるＭＦＰの操作パネルでの表示画面の具体例を示す図である。
【図１９】第２の実施の形態にかかる画像処理システムでの動作の流れを表わした図である。
【図２０】第２の実施の形態にかかる携帯端末の機能構成の具体例を示すブロック図である。
【図２１】第２の実施の形態にかかるサーバーの機能構成の具体例を示すブロック図である。
【図２２】第２の実施の形態にかかるＭＦＰの機能構成の具体例を示すブロック図である。
【図２３】変形例１にかかるＭＦＰの操作パネルでの表示画面の具体例を示す図である。
【図２４】変形例２にかかるＭＦＰの操作パネルでの表示画面の具体例を示す図である。
【発明を実施するための形態】
【００１９】
以下に、図面を参照しつつ、本発明の実施の形態について説明する。以下の説明では、同一の部品および構成要素には同一の符号を付してある。それらの名称および機能も同じである。
【００２０】
＜システム構成＞
図１は、本実施の形態にかかる画像処理システムの構成の具体例を示す図である。
【００２１】
図１を参照して、本実施の形態にかかる画像処理システムは、画像処理装置の一例としてのＭＦＰ（multi-function peripheral）１００と、端末装置として携帯端末３００と、サーバー５００とを含み、これらがＬＡＮ（Local Area Network）などのネットワークで接続されている。
【００２２】
ネットワークは有線であっても無線であってもよい。一例として、図１に示されるように、ＭＦＰ１００とサーバー５００とが有線ＬＡＮに接続され、該有線ＬＡＮにさらに無線ＬＡＮアクセスポイント７００が含まれ、携帯端末３００が無線ＬＡＮアクセスポイント７００と無線ＬＡＮで接続されている例が挙げられる。
【００２３】
画像処理装置は操作入力を受け付けるための構成としてタッチパネルを有するものであればＭＦＰに限定されず、どのような画像処理装置であってもよい。他の例として、複写機、プリンター、ファクシミリ装置などであってもよい。
【００２４】
携帯端末３００は操作入力を受け付けるための構成としてタッチパネルを有するものであればどのような装置であってもよい。たとえば、タッチパネルを備えた携帯電話機、パーソナルコンピューター、ＰＤＡ（Personal Digital Assistants）、音楽再生機であってもよいし、ＭＦＰなどの画像処理装置であってもよい。
【００２５】
＜ＭＦＰの構成＞
図２は、ＭＦＰ１００のハードウェア構成の具体例を示す図である。
【００２６】
図２を参照して、ＭＦＰ１００は、全体を制御するための演算装置であるＣＰＵ（Central Processing Unit）１０と、ＣＰＵ１０で実行されるプログラムなどを記憶するためのＲＯＭ（Read Only Memory）１１と、ＣＰＵ１０でプログラムを実行する際の作業領域として機能するためのＲＡＭ（Random Access Memory）１２と、図示しない原稿台に載置された原稿を光学的に読み取って画像データーを得るためのスキャナー１３と、画像データーを印刷用紙上に固定するためのプリンター１４と、情報を表示したり当該ＭＦＰ１００に対する操作入力を受け付けたりするためのタッチパネルを含んだ操作パネル１５と、画像データーをファイルとして保存するためのメモリー１６と、上記ネットワークを介した通信を制御するためのネットワークコントローラー１７とを含む。
【００２７】
操作パネル１５は、図示しないタッチパネルと操作キー群とを含む。タッチパネルは、液晶表示装置などの表示装置と光学式タッチパネルや静電容量タッチパネルなどの位置指示装置とが重なって構成され、操作画面を表示して、その操作画面上の指示位置を特定する。ＣＰＵ１０は予め記憶されている画面表示をさせるためのデーターに基づいてタッチパネルに操作画面を表示させる。
【００２８】
特定されたタッチパネル上での指示位置（タッチされた位置）や、押下されたキーを示す操作信号はＣＰＵ１０に入力される。ＣＰＵ１０は押下されたキー、または表示している操作画面と指示位置とから操作内容を特定し、それに基づいて処理を実行する。
【００２９】
＜携帯端末の構成＞
図３は、携帯端末３００のハードウェア構成の具体例を示す図である。
【００３０】
図３を参照して、携帯端末３００は、全体を制御するための演算装置であるＣＰＵ３０と、ＣＰＵ３０で実行されるプログラムなどを記憶するためのＲＯＭ３１と、ＣＰＵ３０でプログラムを実行する際の作業領域として機能するためのＲＡＭ３２と、画像データーをファイルとして記憶したり他の情報を記憶したりするためメモリー３３と、情報を表示したり当該携帯端末３００に対する操作入力を受け付けたりするためのタッチパネルを含んだ操作パネル３４と、図示しない基地局との通信を制御するための通信コントローラー３５と、上記ネットワークを介した通信を制御するためネットワークコントローラー３６とを含む。
【００３１】
操作パネル３４は、ＭＦＰ１００の操作パネル１５と同様の構成であってよい。すなわち、一例として、液晶表示装置などの表示装置と光学式タッチパネルや静電容量タッチパネルなどの位置指示装置とが重なって構成されたタッチパネルを含む。
【００３２】
ＣＰＵ３０は予め記憶されている画面表示をさせるためのデーターに基づいてタッチパネルに操作画面を表示させる。タッチパネルでは操作画面上の指示位置が特定され、その位置を示す操作信号がＣＰＵ３０に入力される。ＣＰＵ３０は表示している操作画面と指示位置とから操作内容を特定し、それに基づいて処理を実行する。
【００３３】
＜サーバーの構成＞
図４は、サーバー５００のハードウェア構成の具体例を示す図である。
【００３４】
図４を参照して、サーバー５００は上述のように一般的なコンピューター等によって構成されるものであり、一例として、全体を制御するための演算装置であるＣＰＵ５０と、ＣＰＵ５０で実行されるプログラムなどを記憶するためのＲＯＭ５１と、ＣＰＵ５０でプログラムを実行する際の作業領域として機能するためのＲＡＭ５２と、ファイルなどを記憶するためのＨＤ（Hard Disk）５３と、上記ネットワークを介した通信を制御するためのネットワークコントローラー５４とを含む。
【００３５】
［第１の実施の形態］
＜動作概要＞
第１の実施の形態にかかる画像処理システムでは、ＭＦＰ１００が操作パネル１５での操作に従って、いわゆるボックスと呼ばれるユーザーやユーザーグループと関連付けられているメモリー１６の所定領域に格納されているファイルや図示しない外部メモリーにアクセスして該外部メモリーから読み出したファイルに対して印刷等の処理を行なう。
【００３６】
このとき、ユーザーは、操作パネル１５上で対象とするファイルを示すアイコンや該ファイルが格納されている格納場所を示すアイコンに対して「つまむ」操作を行なうことでそのファイルを処理対象のファイルとして指定する。
【００３７】
ＭＦＰ１００は、この操作を受け付けることで、対象とされたファイルを特定し、処理対象のファイルとして予め規定されている一時的な記憶領域に保持する。
【００３８】
ユーザーは、操作パネル１５の表示を機能一覧画面に遷移させる。図５はＭＦＰ１００の操作パネル１５に表示される機能一覧画面の具体例を示す図である。一例として、該画面には、ＭＦＰ１００で可能な処理を示すアイコンとして、印刷処理を実行させるためのアイコン、スキャン動作を実行させるためのアイコン、画像データーをメールで送信する動作を実行させるためのアイコン、画像データーをサーバーに送信して保存させる動作を実行させるためのアイコン、画像データーをファクシミリ送信する動作を実行させるためのアイコン、ウェブサイトを表示させるためのブラウザアプリケーションを起動させるためのアイコン、および画像データーをメモリー１６の所定領域であるフォルダに格納する動作を実行させるためのアイコンが表示される例が示されている。
【００３９】
この中で、たとえば「印刷アイコン」などの実行させる処理を示すアイコンに対して「離す」操作を行なうことで、ユーザーは指定したファイルに対して実行させる処理を指定する。
【００４０】
なお、以降の説明では、「つまむ」操作と「離す」操作とで、処理対象のファイルと動作とを指定するものとしている。
【００４１】
しかしながら、この指定するための操作は必ずしも「つまむ」操作と「離す」操作とに限定されるものではない。少なくともこれら操作のうちの一方が、タッチパネルである操作パネルにタッチから開始される操作であって、所定の連続した動作による操作であれば、つまり、タッチから開始される一連の操作であれば、他の操作であってもよい。ここでの「連続した動作」は、最初のタッチ位置からタッチ状態を保持したままタッチ位置を移動させる動作も、タッチ状態が解除されて複数回のタッチを含む動作も含む。前者の動作としては、以下に説明するような「つまむ」操作、「離す」操作、「なぞる」操作、などが該当し、後者の動作としては、複数回のタップ操作などが該当する。
【００４２】
ここで、上述のつまむ操作および離す操作について説明する。
図６は、「つまむ」操作を説明するための図である。図６を参照して、「つまむ」操作とは、たとえば２本の指などを用いて操作パネル上の２点Ｐ１、Ｐ２を指定し、続いて、その位置から直線状または略直線状に指を近づけ、近づいた位置である２点Ｐ’１、Ｐ’２で２本の指を操作パネルから離す操作を指す。
【００４３】
ＣＰＵは、操作パネル上の２点Ｐ１、Ｐ２が同時に指示され、さらに、それぞれの位置から連続して直線状または略直線状に位置が変化し、元の２点間の間隔よりも短い間隔である２点Ｐ’１、Ｐ’２で両指定がほぼ同時に解除されたことが検出されると、「つまむ」操作がなされたと検出する。
【００４４】
図７は、「離す」操作を説明するための図である。図７を参照して、「離す」操作とは、たとえば２本の指などを用いて操作パネル上の２点Ｑ１、Ｑ２を指定し、続いて、その位置から直線状または略直線状に指を遠ざけ、ある程度離れた位置である２点Ｑ’１、Ｑ’２で２本の指を操作パネルから離す操作を指す。
【００４５】
ＣＰＵは、操作パネル上の２点Ｑ１、Ｑ２が同時に指示され、さらに、それぞれの位置から連続して直線状または略直線状に位置が変化し、元の２点間の間隔よりも長い間隔である２点Ｑ’１、Ｑ’２で両指定がほぼ同時に解除されたことが検出されると、「離す」操作がなされたと検出する。
【００４６】
「つまむ」操作および「離す」操作の具体的な内容は、以降に説明する他の実施の形態でも同様であるものとする。
【００４７】
ＭＦＰ１００は、操作パネル１５で離す操作を受け付けることで、離す操作の対象とされた動作を特定する。特定された処理が処理対象のファイルとして保持されたファイルに対して実行可能な処理である場合、保持されたファイルに対して当該処理を実行する。
【００４８】
このとき、図８に示されるように、ＭＦＰ１００の操作パネル１５には、実行する画像処理を報知する情報が表示される。図８の例では、「印刷アイコン」が離す操作で指定されたと特定されて、「ファイルを印刷します」と記載されたポップアップ表示が指定されたアイコンの近傍になされる例が示されている。もちろん、その他の方法で動作が実行されることや、実行される動作の内容などを報知するようにしてもよい。たとえば、表示に限定されず、音声やランプ点灯などであってもよい。
【００４９】
一方で、ＭＦＰ１００では、離す操作の対象と特定された動作が指定されたファイルに対する処理に適さないものである場合、当該ファイルに対する処理は実行しない。
【００５０】
このとき、図９に示されるように、ＭＦＰ１００の操作パネル１５には、指定された動作が実行できない旨の警告が表示される。図９の例では、「印刷アイコン」に隣接する「スキャンアイコン」が離す操作で指定されたと特定されて、「この機能は利用できません」と記載されたポップアップ表示が指定されたアイコンの近傍になされる例が示されている。もちろん、この場合も、その他の方法で動作が実行できないことや、指定された動作の内容などを報知するようにしてもよい。またこの場合も、表示に限定されず、音声やランプ点灯などであってもよい。
【００５１】
＜機能構成＞
図１０は、上記動作を実行するための、第１の実施の形態にかかるＭＦＰ１００の機能構成の具体例を示すブロック図である。図１０に示される各機能は、ＣＰＵ１０がＲＯＭ１１に記憶されるプログラムを読み出してＲＡＭ１２上で実行することで、主にＣＰＵ１０に形成される機能である。しかしながら、少なくとも一部の機能が図２に示されたハードウェア構成によって形成されてもよい。
【００５２】
図１０を参照して、メモリー１６には、上述の記憶領域であるボックス１６１と、指定されたファイルを一時的に保持するための保持領域１６２が含まれる。
【００５３】
さらに図１０を参照して、ＣＰＵ１０は、操作パネル１５での指示を示す操作信号の入力を受け付けるための入力部１０１と、操作信号に基づいて上述のつまむ操作や離す操作を検出するための検出部１０２と、操作信号で表わされた指定された位置に基づいてつまむ操作で指定されたアイコンが表わすファイルを特定するための第１の特定部１０３と、特定されたファイルをボックス１６１から読み出して取得するための取得部１０４と、該ファイルをメモリー１６の保持領域１６２に格納するための格納部１０５と、操作信号で表わされた指定された位置に基づいて離す操作で指定されたアイコンが表わす動作を特定するための第２の特定部１０６と、当該動作が指定されたファイルを処理可能な動作であるか否かを判断するための判断部１０７と、その判断に従って操作パネル１５での表示を行なうための表示部１０８と、処理可能な動作である場合に指定されたファイルに対して特定された動作を実行するための実行部１０９とを含む。
【００５４】
なお、この例の場合、ボックス１６１に記憶されているファイルの中から処理対象のファイルが指定されるものとしている。そのため、取得部１０４はボックス１６１にアクセスして当該ボックス１６１から指定されたファイルを取得するものとしている。しかしながら、上述のように、図示しない外部メモリーに記憶されたファイルの中から指定されてもよいし、携帯端末３００などの他の装置に記憶されたファイルの中から指定されてもよい。その場合、取得部１０４は、ネットワークコントローラー１７を介して他の記憶媒体や装置にアクセスしてファイルを取得する機能を有してもよい。
【００５５】
第１の特定部１０３は、つまむ操作の最初に指定された２点（図６の２点Ｐ１、Ｐ２）と最後に指定された２点（図６の２点Ｐ’１、Ｐ’２）との少なくとも一方に基づいて定義される範囲に表示されるアイコンを、つまむ操作で指定されたアイコンとして特定する。
【００５６】
第１の特定部１０３での、つまむ操作によって指定されるアイコンを特定する方法は特定の方法に限定されない。図１１〜図１５は、第１の特定部１０３での、つまむ操作によって指定されるアイコンを特定する方法の具体例を説明するための図である。
【００５７】
一例として第１の特定部１０３は、図１１に示されるように、最初に指定された２点Ｐ１、Ｐ２を対角とする矩形をつまむ操作で定義される範囲と特定し、その中に少なくとも一部が含まれるアイコンを指定されるアイコンとして特定してもよい。または、図１２に示されるように、最初に指定された２点Ｐ１、Ｐ２を対角とする矩形をつまむ操作で定義される範囲と特定し、その矩形内に完全に含まれるアイコンを指定されるアイコンとして特定してもよい。このように特定されることで、ユーザーは意図するアイコンを挟むように２本の指を操作パネル１５にタッチさせ、その状態からつまむ操作のための動作を行なうことで、当該意図するアイコンを直感的に指定することができる。また、アイコン画像が小さい場合であっても、正確に指定することが可能となる。
【００５８】
他の例として第１の特定部１０３は、図１３に示されるように、最後に指定された２点Ｐ’１、Ｐ’２を対角とする矩形をつまむ操作で定義される範囲と特定し、その中に少なくとも一部が含まれるアイコンを指定されるアイコンとして特定してもよい。または、図１４に示されるように、最後に指定された２点Ｐ’１、Ｐ’２を対角とする矩形をつまむ操作で定義される範囲と特定し、その矩形内に完全に含まれるアイコンを指定されるアイコンとして特定してもよい。このように特定されることで、ユーザーは意図するアイコンが最後に２本の指の間に挟まれるように、それよりも広く離して２本の指を操作パネル１５にタッチさせた後に近づけることで、当該意図するアイコンを直感的に指定することができる。また、アイコン画像が小さい場合であっても、正確に指定することが可能となる。
【００５９】
他の例として第１の特定部１０３は、図１５に示されるように、最初に指定された２点Ｐ１、Ｐ２から最後に指定された２点Ｐ’１、Ｐ’２までを結ぶ２本の線をつまむ操作で定義される範囲と特定し、いずれかの線が重なるアイコンを指定されるアイコンとして特定してもよい。このように特定されることで、ユーザーは意図するアイコンをつまむように２本の指を移動させることで、当該意図するアイコンを直感的に指定することができる。また、アイコン画像が小さい場合であっても、正確に指定することが可能となる。
【００６０】
メモリー１６の保持領域１６２は、つまむ操作で特定されたファイルが一時的に記憶される。この「一時的」な期間はたとえば２４時間などと予め設定されており、その期間を経過しても当該ファイルに対する画像処理が実行されない場合には、ＣＰＵ１０は、メモリー１６の所定領域から削除するようにしてもよい。
【００６１】
さらに、上記一時的な期間内に当該ファイルに対する画像処理が実行されない場合には、ＣＰＵ１０は、メモリー１６の所定領域からの削除に替えて、または削除に加えて、指定されたファイルに対して画像処理が実行されなかった旨を表わす警告を操作パネル１５に表示させてもよい。
【００６２】
第２の特定部１０６でも、図１１〜図１５で説明された方法と同様に、指の移動方向のみ逆になる方法（指が遠ざかる方向へ移動）で、離す操作によって指定されるアイコンを特定する。
【００６３】
なお、第２の特定部１０６は、図１１〜図１５に表わされたいずれかの方法で指定されるアイコンを特定する際に、操作パネル１５上の２点のタッチ（図７の２点Ｑ１，Ｑ２）を受け付け、そのタッチ位置が連続的に移動した時点で、リアルタイムに最初の２点Ｑ１，Ｑ２と移動後の２点とで定義される範囲に基づいて離す操作で指定されるアイコンを特定する。すなわち、第２の特定部１０６は、移動後に操作パネル１５上の２点のタッチが解除されるまでの間、規定された時間間隔でリアルタイムで、最初の２点Ｑ１，Ｑ２と移動後の２点とで定義される範囲に基づいてアイコンを特定する。そのため、１回の離す操作の途中で、特定されるアイコンが変化する場合もある。
【００６４】
このとき、少なくとも最初の２点Ｑ１，Ｑ２を用いてアイコンを特定する。一例として、最初の２点Ｑ１，Ｑ２の中点に最も近いアイコンを指定されるアイコンとして特定してもよい。他の例として、いずれか一方の点に最も近いアイコンを指定されるアイコンとして特定してもよい。
【００６５】
さらに、第２の特定部１０６は、移動後のタッチの解除を検出することで離す操作の終了も検出し、終了時のタッチ位置（図７の２点Ｑ１’，Ｑ２’）を用いて最終的に指定されたアイコンを特定する。
【００６６】
判断部１０７はつまむ操作の対象とされた動作を特定する情報が第２の特定部１０６から入力されるごとに、当該動作が指定されたファイルに対する動作に適したものであるか否かを判断する。
【００６７】
判断部１０７は、特定された動作が指定されたファイルに適した動作であるか否かを判断するために対応テーブル７１を記憶している。対応テーブル７１には動作ごとの対象に関する情報が規定されている。たとえば、印刷動作やファクシミリ送信操作などに対してはファイル、テキストファイルなどが規定されており、スキャン動作やブラウザ起動動作などに対して対象となる情報がないと規定されている。
【００６８】
たとえば、印刷動作が特定された場合、対応テーブル７１において印刷動作に対してファイルやテキストファイルが規定されていることから、指定されたファイルが含まれ、その動作が当該ファイルに対する動作に適したものであると判断される。
【００６９】
一方、スキャン動作が特定された場合、対応テーブル７１においてスキャン動作に対して対象となる情報が規定されていることから指定されたファイルは該当せず、その動作が当該ファイルに対する動作に適したものではないと判断される。
【００７０】
判断部１０７は、判断の度に判断結果を表示部１０８に入力する。表示部１０８は、その判断結果に従って図８または図９に示されたような表示を行なう。このとき、好ましくは、離す操作でタッチされている２点を対角とする範囲にポップアップ表示を行なわせる。そのため、離す操作に伴って該ポップアップ表示が徐々に大きくなる。
【００７１】
上述のように、第２の特定部１０６では離す操作に伴ってリアルタイムに離す操作で指定されたアイコンを特定するために、特定される動作が離す操作の途中で変化する場合もある。そのため、表示部１０８によってされる報知画面（ポップアップ表示）は離す操作に伴って変化する場合がある。
【００７２】
また、上述のように、第２の特定部１０６では離す操作に伴ってリアルタイムに離す操作で指定されたアイコンを特定するために、特定される動作が離す操作の途中で変化する場合もある。そのため、判断部１０７は、離す操作の終了時のタッチ位置（図７の２点Ｑ１’，Ｑ２’）を用いて最終的に特定された動作での判断結果が特定された動作が指定されたファイルの処理に適したものである場合に、実行部１０９に対して当該動作の実行を指示する。
【００７３】
＜動作フロー＞
図１６は、ＭＦＰ１００での動作の具体例を示すフローチャートである。図１６のフローチャートに示される動作は、ＣＰＵ１０がＲＯＭ１１に記憶されるプログラムを読み出してＲＡＭ１２上で実行し、図１０の各機能を発揮させることによって実現される。
【００７４】
図１６を参照して、ＣＰＵ１０は、操作パネル１５にファイル一覧画面が表示されている状態においてつまむ操作がなされたことを検出すると（ステップＳ１０１でＹＥＳ）、ステップＳ１０３でつまむ操作の対象とされたアイコンを特定することで指定されたファイルを特定する。当該ファイルは処理対象のファイルとしてメモリー１６の保持領域１６２に一時的に保持される。
【００７５】
ＣＰＵ１０は、操作パネル１５に機能一覧画面が表示されている状態において離す操作が開始されたことを検出すると（ステップＳ１０５でＹＥＳ）、ステップＳ１０７で離す操作開始時のタッチ位置と判断時のタッチ位置とから離す操作の対象とされるアイコンを特定することで指定された動作を特定する。
【００７６】
なお、ＣＰＵ１０は、メモリー１６の保持領域１６２にファイルが保持されているときに離す操作が検出されると上記ステップＳ１０７の処理へ進み、指定された動作を特定するようにしてもよい。
【００７７】
ＣＰＵ１０は、上記ステップＳ１０７で特定された動作が上記ステップＳ１０３で指定されたファイルに対する動作として適した動作であるか否かを判断する。その結果、適した動作である場合には（ステップＳ１０９でＹＥＳ）、ステップＳ１１１でＣＰＵ１０は、たとえば図８のような画面表示を行なって、動作可能であることを報知する。適した動作でない場合には（ステップＳ１０９でＮＯ）、ステップＳ１１３でＣＰＵ１０は、たとえば図９のような画面表示を行なって、指定された動作を行なうことができない旨の警告を発する。
【００７８】
ＣＰＵ１０は、上記ステップＳ１０７〜Ｓ１１３を離す操作の終了が検出するまで、予め規定された間隔で繰り返す。これによって、離す操作に伴って指定された動作の適否が操作パネル１５に表示されることになる。
【００７９】
離す操作の終了が検出されると（ステップＳ１１５でＹＥＳ）、ステップＳ１１７でＣＰＵ１０は、離す操作の終了時のタッチ位置に基づいて動作を特定し、その動作が指定されたファイルに対して適した動作であるか否かを最終的に判断する。
【００８０】
その結果、適した動作である場合には（ステップＳ１１９でＹＥＳ）、ステップＳ１２１でＣＰＵ１０は、たとえば図８のような画面表示を行なって、動作可能であることを報知すると共に、ステップＳ１２３で指定されたファイルに対して特定された動作を実行する。このとき、実行の可否を選択するためのボタン等を操作パネル１５に表示して、最終的な指示入力を受け付けてから当該動作を実行するようにしてもよい。
【００８１】
適した動作でない場合には（ステップＳ１１９でＮＯ）、ステップＳ１２５でＣＰＵ１０は、たとえば図９のような画面表示を行なって、指定された動作を行なうことができない旨の警告を発した後、処理を上記ステップＳ１０５に戻して、再度の離す操作の検出を待機する。
【００８２】
＜第１の実施の形態の効果＞
第１の実施の形態にかかるＭＦＰ１００においてこのような動作がなされることで、ユーザーが意図しない動作がなされることを防止することができる。
【００８３】
特に、ＭＦＰなどの表示領域の制約された操作パネルにアイコンが表示される場合、アイコンの面積が小さかったり、アイコン間が狭かったりするため、意図するアイコンに隣接したアイコンなど、離す操作によって意図しないアイコンが選択されてしまう場合もある。そのような場合であっても、指定されたファイルに対する動作として適さない動作である場合にはその動作がなされることなく、誤操作を防ぐことができる。
【００８４】
また、ＭＦＰ１００では、離す操作に伴ってその動作が適しているか否かが表示されるため、離す操作の途中でその方向を調整するなどして、適正なアイコンが指定されるようにすることができる。そのため、再度操作する必要を抑えることができ、操作性を向上させることができる。
【００８５】
＜変形例＞
なお、上の例では、つまむ操作で対象のファイルを指定した後に離す操作で実行させる動作を指定するものとしている。しかしながら、指定の順はこの順に限定されず、逆であってもよい。すなわち、先に動作が指定され、その後にファイルが指定されてもよい。その場合、つまむ操作、離す操作は上の例とは逆であってもよい。これは、後述する他の実施の形態でも同様である。
【００８６】
さらに、上の例では、指定された動作が実行可能である場合、図８に表わされたように、その旨が表示されるものとしている。上述したように、実行させる動作を指定するための離す操作はつまむ操作で対象のファイルを指定するタイミングと異なるタイミングでなされるため、離す操作を行なう際に対象として指定したファイルが表示されていない。
【００８７】
そこで、変形例にかかるＭＦＰ１００は、図１７のように、離す操作によって指定されたアイコンの近傍に、先のつまむ操作で指定されたファイルを表わす情報を表示するようにしてもよい。図１７の例では、「印刷アイコン」を指定するための離す操作に連動させて、その２点のタッチ位置の間に、先のつまむ操作で指定されたファイルを表わすアイコン（図１７の例ではＰＤＦアイコン）が表示されている。好ましくは、ＣＰＵ１０は、当該アイコンを離す操作でのタッチ位置の移動に伴ってサイズを変形させながら表示させる。
【００８８】
また、特定された動作が指定されたファイルに対する動作として適した動作でないと判断された場合にも、変形例にかかるＭＦＰ１００は、図１８のように、先のつまむ操作で指定されたファイルを表わすアイコン（図１８の例ではＰＤＦアイコン）を表示しつつ、さらに、その動作を行なうことができない旨の警告を表示する。好ましくは、このとき、図１８に表わされたように、つまむ操作で指定されたファイルを表わすアイコンに対しても動作ができない旨の表示（図１８の例では禁止マーク）を付加して表示させる。
【００８９】
このようにすることで、離す操作の時点で、先のつまむ操作で指定されたファイルを確認することができ、ユーザーの操作性をより高めることができる。
【００９０】
［第２の実施の形態］
＜動作概要＞
第１の実施の形態では、ＭＦＰ１００において対象とするファイルと、当該ファイルに対する動作との両方が指定されるものとしているが、それらが異なる装置で指定されて、ＭＦＰ１００にその情報が送信されるようにしてもよい。
【００９１】
一例として、第２の実施の形態にかかる画像処理システムでは、携帯端末３００の操作パネル３４でのつまむ操作で処理対象のファイルを特定し、ＭＦＰ１００の操作パネル１５での離す操作で実行させる処理を指定する。
【００９２】
図１９は、第２の実施の形態にかかる画像処理システムでの動作の流れを表わした図である。
【００９３】
図１９を参照して、携帯端末３００の操作パネル３４にファイル一覧を表示する画面が表示されている状態でつまむ操作がなされると（ステップＳ１１）、ステップＳ１２で携帯端末３００において指定されたファイルが特定され、ステップＳ１３で少なくともそのファイルを特定する情報を含む情報がサーバー５００に対して送信される。以降の説明において、この情報を「つまむ情報」とも称する。
【００９４】
つまむ情報に含まれるファイルを特定する情報として、たとえばファイル名が挙げられる。つまむ情報には、ファイルを特定する情報の他、たとえば当該つまむ操作を行なったユーザーを特定する情報としてたとえば携帯端末３００に対応付けられたユーザー情報やログイン情報などが含まれてもよいし、携帯端末３００の固有情報が含まれてもよい。
【００９５】
サーバー５００はこの情報を受信すると、ステップＳ２１でメモリー５５の所定領域に格納する。
【００９６】
ＭＦＰ１００の操作パネル１５に機能一覧画面（図５）が表示されている状態で離す操作がなされると（ステップＳ３１）、ステップＳ３２でＭＦＰ１００において指定された動作が特定される。この離す操作を受けて、ステップＳ３３でＭＦＰ１００は、サーバー５００に対して指定されたファイルに関して問い合わせる。ここで、この問い合わせに含めて、当該離す操作を行なったユーザーを特定する情報や、先につまむ操作を行なった携帯端末３００を特定する情報を併せて送信するようにしてもよい。上記ユーザー情報としては、たとえば離す操作がなされた際のログイン情報などが該当する。
【００９７】
サーバー５００はこの問い合わせを受け付けると、上記ステップＳ２１で格納されたつまむ情報を参照して対象のファイルを特定し、ステップＳ２２でそのファイルに関する情報をファイル情報として送信する。ファイル情報は、ＭＦＰ１００において当該ファイルに対して指定された動作が適しているか否かを判断可能な情報であって、たとえば、「ファイル種類」「ファイル名」「格納日」などが該当する。
【００９８】
なお、このとき、サーバー５００において、上記問い合わせに併せて送信されたユーザー情報などと、つまむ情報に含まれたユーザー情報などとを用いて認証を行なってもよい。そして、認証成功の場合にファイル情報を送信するようにしてもよい。
【００９９】
また、複数のつまむ情報が格納されている場合、上記問い合わせに併せて送信されたユーザー情報などを用いて該当するつまむ情報を抽出してもよい。
【０１００】
上記ファイル情報を受信すると、ＭＦＰ１００はステップＳ３４で、上記ステップＳ３２で特定された動作が指定されたファイルに対する動作として適しているか否かを判断する。そして、その結果適していると判断された場合にはステップＳ３５でサーバー５００に対して指定されたファイルを要求し、その要求に応じてステップＳ２３でサーバー５００からＭＦＰ１００に対して該ファイルが送信される。
【０１０１】
また、ステップＳ３６でＭＦＰ１００では、上記判断の結果が操作パネル１５に表示される。そして、ステップＳ３７で当該ファイルに対して指定された動作が実行される。
【０１０２】
＜機能構成＞
図２０〜図２２は、それぞれ、上記動作を実行するための携帯端末３００、サーバー５００、およびＭＦＰ１００の機能構成の具体例を示すブロック図である。これら機能は、それぞれのＣＰＵがＲＯＭに記憶されるプログラムを読み出してＲＡＭ上で実行することで、主にＣＰＵに形成される機能である。しかしながら、少なくとも一部の機能が図に示されたハードウェア構成によって形成されてもよい。
【０１０３】
なお、上に説明されたように、第２の実施の形態にかかる画像処理システムでは、第１の実施の形態にかかるＭＦＰ１００での動作を携帯端末３００、サーバー５００、およびＭＦＰ１００が連携して実現するものである。そのため、これら装置の機能は、概ね、図１０に示された第１の実施の形態にかかるＭＦＰ１００の機能構成をこれら装置で分担したものであって、一部、これら装置の間でやり取りするための機能が追加されたものである。
【０１０４】
詳しくは、図２０を参照して、携帯端末３００のＣＰＵ３０は、操作パネル３４での指示を示す操作信号の入力を受け付けるための入力部３０１と、操作信号に基づいて上述のつまむ操作を検出するための検出部３０２と、操作信号で表わされた指定された位置に基づいてつまむ操作で指定されたアイコンが表わすファイルを特定するための第１の特定部３０３と、特定されたファイルを表わす情報を含むつまむ情報をネットワークコントローラー３６を介してサーバー５００に送信するための送信部３０４とを含む。
【０１０５】
また、図２１を参照して、サーバー５００のＨＤＤ５３には、携帯端末３００から送信されたつまむ情報を保持するための領域である保持領域５３１と、ファイルを記憶するための記憶領域である記憶部５３２とが含まれる。
【０１０６】
さらに図２１を参照して、サーバー５００のＣＰＵ５０は、ネットワークコントローラー５４を介して携帯端末３００やＭＦＰ１００から送られた情報を受信するための受信部５０１と、携帯端末３００から送信されたつまむ情報を上記保持領域５３１に格納するための格納部５０２と、ＭＦＰ１００からの上記ステップＳ３３の問い合わせを受信して、指定されたファイルについてのファイル名等のファイル情報を特定するための特定部５０３と、ＭＦＰ１００からの上記ステップＳ３５のファイルの要求を受信して、指定されたファイルを記憶部５３２から取得するための取得部５０４と、ネットワークコントローラー５４を介して携帯端末３００やＭＦＰ１００に対して情報を送信するための送信部５０５とを含む。
【０１０７】
また、図２２を参照して、ＭＦＰ１００のＣＰＵ１０は、操作パネル１５での指示を示す操作信号の入力を受け付けるための入力部１０１と、操作信号に基づいて上述の離す操作を検出するための検出部１０２と、操作信号で表わされた指定された位置に基づいて離す操作で指定されたアイコンが表わす動作を特定するための第２の特定部１０６と、離す操作に応じてネットワークコントローラー１７を介してサーバー５００に対して問い合わせを送信したり、ファイル要求を送信したりするための送信部１１０と、その問い合わせや要求に応じて、ネットワークコントローラー１７をサーバー５００から上記ステップＳ２２のファイル情報や上記ステップＳ２３の指定されたファイルを受信するための受信部１１１や、当該動作が指定されたファイルを処理可能な動作であるか否かを判断するための判断部１０７と、その判断に従って操作パネル１５での表示を行なうための表示部１０８と、処理可能な動作である場合に指定されたファイルに対して特定された動作を実行するための実行部１０９とを含む。
【０１０８】
＜動作フロー＞
第２の実施の形態にかかるＭＦＰ１００でも、図１６に示された第１の実施の形態にかかるＭＦＰ１００と概ね同様の動作が行なわれる。ただし、第２の実施の形態にかかるＭＦＰ１００では、上記ステップＳ１０１、Ｓ１０３での自身の操作パネル１５でのつまむ操作に基づくファイルの特定に替えて、離す操作によって動作が特定されたタイミングでサーバー５００に記憶された、携帯端末３００でのつまむ操作に応じたつまむ情報を問い合わせる、上記ステップＳ３３の動作が行なわれる。
【０１０９】
また、第２の実施の形態にかかるＭＦＰ１００でも、第１の実施の形態にかかるＭＦＰ１００と同様に、ＣＰＵ１０が、操作パネル１５に機能一覧画面が表示されている状態において離す操作が開始されたことを検出すると、上記問い合わせを行なってファイル情報を得、離す操作開始時のタッチ位置と判断時のタッチ位置とから離す操作の対象とされるアイコンを特定することで指定された動作を特定して、指定されたファイルに対する動作として適した動作であるか否かを判断する（上記ステップＳ３４）。そして、その結果を、離す操作に伴って表示すると共に、離す操作の終了が検出されると、その状態で特定された動作が指定されたファイルに対する動作として適している場合に、サーバー５００に対してファイルを要求する（上記ステップＳ３５）。
【０１１０】
なお、この動作でも、図８や図９に示されたような画面が表示される。
＜第２の実施の形態の効果＞
第２の実施の形態にかかる画像処理システムでこのような動作が行なわれることで、異なる装置間で対象となるファイルの指定と行なわせる動作の指定とが行なわれる場合でも、ユーザーが意図しない動作がなされることを防止することができる。
【０１１１】
＜変形例１＞
上述の第１の実施の形態および第２の実施の形態において、つまむ操作を複数回行なうことで、複数のファイルを指定することもできる。
【０１１２】
第１の実施の形態にかかるＭＦＰ１００は、上記ステップＳ１０１、Ｓ１０３を繰り返すことで、つまむ操作のたびに処理対象のファイルを特定し、メモリー１６の保持領域１６２に一時的に保持する。
【０１１３】
第２の実施の形態にかかる携帯端末３００は、つまむ操作のたびに処理対象のファイルを特定し、つまむ情報としてサーバー５００に送信する。サーバー５００には、これら複数のつまむ情報が記憶される。
【０１１４】
このとき、ＭＦＰ１００で離す操作が検出されると、これら複数回のつまむ操作で特定されたファイルが処理対象のファイルとして用いられる。すなわち、ＭＦＰ１００では、特定された動作がこれら複数のファイルのすべてに対する動作として適しているか否かが判断され、その結果が表示される。
【０１１５】
図２３は、このときの画面表示の具体例を示す図である。図２３を参照して、一例として、この場合、離す操作に伴って、特定された動作のアイコンの近傍に、処理対象とされた複数のファイルを表わす情報を表示するようにしてもよい。図２３の例では、「印刷アイコン」を指定するための離す操作に連動させて、その２点のタッチ位置の間に、先のつまむ操作で指定された複数のファイルを表わす複数のアイコン（図２３の例では複数のＰＤＦアイコン）が表示されている。さらに、図２３に示されるように、それぞれのファイル名などの識別情報や、それらが印刷対象であることを表示するようにしてもよい。
【０１１６】
このようにすることで、ユーザーの作業性を向上させることができる。
＜変形例２＞
上述のように、ＭＦＰ１００には、動作ごとの対象となる情報を規定する対応テーブル７１が記憶されているため、ＣＰＵ１０は、処理対象のファイルが特定された時点で、対応テーブル７１を参照して当該ファイルに対して可能な動作を特定することができる。
【０１１７】
このとき、たとえばつまむ操作でファイルが指定されると、そのファイルを表わすアイコンの近傍に当該ファイルに対して適切な動作を表示するようにしてもよい。
【０１１８】
さらに、そのとき、複数の動作が特定されると、図２４のように、これら複数の動作を選択可能に表示してもよい。ＣＰＵ１０は図２４の表示画面において動作の選択を受け付けることで、指定されたファイルに対して選択された動作を実行する。
【０１１９】
このようにすることでも、ユーザーの作業性を向上させることができる。
さらに、ＭＦＰ１００に上述の動作を実行させるためのプログラムを提供することもできる。このようなプログラムは、コンピューターに付属するフレキシブルディスク、ＣＤ−ＲＯＭ（Compact Disk-Read Only Memory）、ＲＯＭ、ＲＡＭおよびメモリカードなどのコンピューター読み取り可能な記録媒体にて記録させて、プログラム製品として提供することもできる。あるいは、コンピューターに内蔵するハードディスクなどの記録媒体にて記録させて、プログラムを提供することもできる。また、ネットワークを介したダウンロードによって、プログラムを提供することもできる。
【０１２０】
なお、本発明にかかるプログラムは、コンピューターのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【０１２１】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【０１２２】
提供されるプログラム製品は、ハードディスクなどのプログラム格納部にインストールされて実行される。なお、プログラム製品は、プログラム自体と、プログラムが記録された記録媒体とを含む。
【０１２３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１２４】
１０，３０，５０  ＣＰＵ、１１，３１，５１  ＲＯＭ、１２，３２，５２  ＲＡＭ、１３  スキャナー、１４  プリンター、１５，３４  操作パネル、１６，３３，５５  メモリー、１７，３６，５４  ネットワークコントローラー、３５  通信コントローラー、７１  対応テーブル、１００  ＭＦＰ、１０１，３０１  入力部、１０２，３０２  検出部、１０３，３０３  第１の特定部、１０４，５０４  取得部、１０５，５０２  格納部、１０６  第２の特定部、１０７  判断部、１０８  表示部、１０９  実行部、１１０，３０４，５０５  送信部、１１１，５０１  受信部、１６１  ボックス、１６２，５３１  保持領域、３００  携帯端末、５００  サーバー、５０３  特定部、５３２  記憶部、７００  アクセスポイント。
【図１】
0005573793.tif 000002
【図２】
0005573793.tif 000003
【図３】
0005573793.tif 000004
【図４】
0005573793.tif 000005
【図５】
0005573793.tif 000006
【図６】
0005573793.tif 000007
【図７】
0005573793.tif 000008
【図８】
0005573793.tif 000009
【図９】
0005573793.tif 000010
【図１０】
0005573793.tif 000011
【図１１】
0005573793.tif 000012
【図１２】
0005573793.tif 000013
【図１３】
0005573793.tif 000014
【図１４】
0005573793.tif 000015
【図１５】
0005573793.tif 000016
【図１６】
0005573793.tif 000017
【図１７】
0005573793.tif 000018
【図１８】
0005573793.tif 000019
【図１９】
0005573793.tif 000020
【図２０】
0005573793.tif 000021
【図２１】
0005573793.tif 000022
【図２２】
0005573793.tif 000023
【図２３】
0005573793.tif 000024
【図２４】
0005573793.tif 000025